(57)【特許請求の範囲】
【請求項１】
配列番号：２に記載のアミノ酸配列を有する、恒常的に開いたＣ末端Ｈｉｓタグ付きのアクアポリンを含む、水精製のための膜。
【請求項２】
汚れた水を受け取るための第一のチェンバーに接続された入口、およびきれいな水を分配するための第二のチェンバーに接続された出口、ならびに第一と第二のチェンバーの間に配置された、請求項１に記載の膜を含む水を精製する膜を含む、水を精製するための装置。
【請求項３】
水を精製するための、請求項１に記載の膜、または請求項２に記載の装置の使用。
【請求項４】
請求項１に記載の膜を製造する方法であって：
恒常的に開いた、配列番号：２に記載のアミノ酸配列を有する、Ｈｉｓタグ付きのアクアポリンを製造する段階；および
該アクアポリンを膜に組み込む段階
を含む、方法。
【請求項５】
水を精製する方法であって：
請求項１に記載の膜を提供する段階；および
精製された水を提供するために、精製される予定の水を、該膜に通過させる段階
を含む、方法。
【発明の詳細な説明】
【技術分野】
【０００１】
本発明は、恒常的に開いたアクアポリンに関する。さらに、そのようなアクアポリンを含む膜、および水を精製するためのそのような膜の使用に関する。本発明はまた、アクアポリンを恒常的に開いたアクアポリンに変換する方法に関する。
【背景技術】
【０００２】
天然に存在する生体膜は、限られた固有の水透過性細胞だけに、アクアポリンと呼ばれる、水特異的な膜タンパク質チャネルのファミリーを介して、細胞内および細胞外への水の流れを維持させる。
【０００３】
アクアポリンファミリーのメンバーは文献でよく知られており、菌類、動物および植物を含む、始原細菌、真正細菌および真核生物に見られる。それらは驚くほどバラエティ豊かな生理作用を果たし、全ての生命にわたる配列類似性によって、容易に識別される。高等真核生物では、アクアポリンの水輸送活性は、リン酸化、ｐＨおよびモル浸透圧濃度（ｏｓｍｏｌａｒｉｔｙ）によって、頻繁に調節される。植物および動物におけるアクアポリンは、高度に保存され、高等植物において３５種のメンバー、ヒトにおいて１３種のメンバーを有する、大きなタンパク質ファミリーを形成する。
【０００４】
系統発生解析に基づき、植物アクアポリンは、４つのサブファミリーにさらに分類され、こけ植物であるヒメツリガネゴケ（Ｐｈｙｓｃｏｍｉｔｒｅｌｌａ  ｐａｔｅｎｓ）などの、原始植物（ｐｒｉｍｉｔｉｖｅ  ｐｌａｎｔｓ）におけるそれらの存在は、この特殊分化（ｓｐｅｃｉａｌｉｚａｔｉｏｎ）が古代の植物の祖先において既に存在していたことを推測させる。
【０００５】
全て調節される、１３種の非常に保存された原形質膜（ｐｌａｓｍａ  ｍｅｍｂｒａｎｅ）アクアポリン（原形質膜内在性タンパク質またはＰＩＰ）が存在し、これらはさらに２種の個別の系統発生グループ（ＰＩＰ１およびＰＩＰ２）に分かれる。
【０００６】
その構造に組み込まれたアクアポリンを備える合成膜は、文献、例えば、米国特許第７，８５７，９７８  Ｂ２号、米国特許出願公開第２００９／０００７５５５  Ａ１号および欧州特許第１８８５４７７  Ｂ１号において、水を精製するためのそのような膜の使用と同様に、記載されている。
【０００７】
しかしながら、そのようなアクアポリンを含む合成膜において、アクアポリンの自然な制限もまた存在するため、合成膜は多くの場合あまり有効ではない。
【０００８】
従って、水を精製するための改善された膜、装置または使用が有利であるだろう。
【発明の概要】
【発明が解決しようとする課題】
【０００９】
従って、本発明は、好ましくは、当技術分野における上記の欠陥および不利益の一以上を、単独あるいは任意の組み合わせで、軽減し、緩和し、または除去し、ならびに、添付の特許請求の範囲に従って装置、方法および使用を提供することにより、少なくとも上述の問題を解決する。
【課題を解決するための手段】
【００１０】
本発明による一般的な解決策は、合成膜において恒常的に開いたアクアポリンを利用することである。
【００１１】
本発明の第一の実施態様によれば、恒常的に開いたＨｉｓタグ付きのアクアポリンを含む膜が提供される。
【００１２】
恒常的に開いたＨｉｓタグ付きのアクアポリンは、配列番号：２と、少なくとも９５、９７または９９％など、少なくとも９０％配列相同性を有し得る。
【００１３】
膜は、配列番号：２のアミノ酸配列を有する恒常的に開いたＨｉｓタグ付きのアクアポリンを含み得る。
【００１４】
一実施形態では、該膜のアクアポリンは、ホウレンソウ（Ｓｐｉｎａｃｉａ  ｏｌｅｒａｃｅａ）、シロイヌナズナ（Ａｒａｂｉｄｏｐｓｉｓ  ｔｈａｌｉａｎａ）、トウモロコシ（Ｚｅａ  ｍａｙｓ）、イネ（Ｏｒｙｚａ  ｓａｔｉｖａ）またはヒメツリガネゴケ（Ｐｈｙｓｃｏｍｉｔｒｅｌｌａ  ｐａｔｅｎｓ）に由来する。
【００１５】
該アクアポリンは、配列番号：１、配列番号：４、配列番号：５、配列番号：６、配列番号：７、配列番号：８、配列番号：９、配列番号：１０、配列番号：１１、配列番号：１２、配列番号：１３、配列番号：１４、配列番号：１５、配列番号：１６、配列番号：１７、配列番号：１８、配列番号：１９、配列番号：２０、配列番号：２１、配列番号：２２、配列番号：２３、配列番号：２４、配列番号：２５、配列番号：２６、配列番号：２７、配列番号：２８、配列番号：２９、または配列番号：３０のいずれかと、少なくとも９５、９７または９９％など、少なくとも９０％配列相同性を有する配列を含み得る。
【００１６】
該アクアポリンは、配列番号：３と、少なくとも９５、９７または９９％など、少なくとも９０％配列相同性を有するＣ末端Ｈｉｓタグを含み得る。
【００１７】
一実施形態では、該アクアポリンは、配列番号：１、配列番号：４、配列番号：５、配列番号：６、配列番号：７、配列番号：８、配列番号：９、配列番号：１０、配列番号：１１、配列番号：１２、配列番号：１３、配列番号：１４、配列番号：１５、配列番号：１６、配列番号：１７、配列番号：１８、配列番号：１９、配列番号：２０、配列番号：２１、配列番号：２２、配列番号：２３、配列番号：２４、配列番号：２５、配列番号：２６、配列番号：２７、配列番号：２８、配列番号：２９、または配列番号：３０の配列、および配列番号：３の配列を有するＣ末端Ｈｉｓタグを含む。
【００１８】
本発明の第二の実施態様によれば、水を精製するための装置が提供される。該装置は、汚れた水を受け取るための第一のチェンバーに接続された入口、およびきれいな水を分配するための第二のチェンバーに接続された出口、ならびに第一と第二のチェンバーの間に配置された、第一の実施態様による膜を含む水を精製する膜を含む。
【００１９】
本発明の第三の実施態様によれば、水を精製するための、第一の実施態様による膜または第二の実施態様による装置の使用が提供される。
【００２０】
本発明の第四の実施態様によれば、第一の実施態様による膜を製造するための方法が提供され、前記方法は、恒常的に開いたＨｉｓタグ付きのアクアポリンを製造する段階；および膜内に該アクアポリンを組み込む段階を含む。
【発明の効果】
【００２１】
本発明は、水の精製に悪影響を与えずに増大した水透過性を提示する、先行技術に対する利点を有する。
【図面の簡単な説明】
【００２２】
本発明の特徴ならびに利点が可能な、これらの、および他の実施態様は、添付図面を参照して、本発明の実施形態の以下の説明から明白であり、かつ解明されるであろう。
【図１】図１は本発明の実施形態によるグラフである。
【発明を実施するための形態】
【００２３】
本発明のいくつかの実施形態は、当業者が本発明を実施するために、添付図面を参照して、以下により詳細に説明されるであろう。本発明は、しかしながら、多数の異なる形態に具体化され、本明細書に説明される実施形態に限定されると解釈されるべきではない。むしろ、本開示が十分かつ完全であり、当業者に本発明の範囲が十分に伝わるように、これらの実施形態が提供される。実施形態は本発明を限定するものではないが、本発明は添付の特許請求の範囲によってのみ限定される。更に、添付図面で説明された特定の実施形態の詳細な記載において用いられる用語は、本発明の限定を意図するものではない。
【００２４】
以下の記載は、恒常的に開いたＨｉｓタグ付きのアクアポリンを含む膜、特にホウレンソウ（Ｓｐｉｎａｃｉａ  ｏｌｅｒａｃｅａ）由来の恒常的に開いたＨｉｓタグ付きのアクアポリン、ＳｏＰＩＰ２；１（配列番号：１）、を含む膜に適用できる本発明のある実施形態に焦点を合わせている。しかしながら、本発明はこの適用に限定されるものではなく、例えば、シロイヌナズナ（Ａｒａｂｉｄｏｐｓｉｓ  ｔｈａｌｉａｎａ）、トウモロコシ（Ｚｅａ  ｍａｙｓ）、イネ（Ｏｒｙｚａ  ｓａｔｉｖａ）またはヒメツリガネゴケ（Ｐｈｙｓｃｏｍｉｔｒｅｌｌａ  ｐａｔｅｎｓ）に由来する（ｄｅｒｉｖｅｄ  ｆｒｏｍ）または、それらが起源である（ｏｒｉｇｉｎａｉｎｇ  ｆｒｏｍ）アクアポリンを含む、他の多くのＨｉｓタグ付きのアクアポリンにも適用され得る。
【００２５】
以前はＰＭ２８Ａと呼ばれていた、ホウレンソウ（Ｓｐｉｎａｃｉａ  ｏｌｅｒａｃｅａ）の植物アクアポリンＳｏＰＩＰ２；１（配列番号：１）の閉鎖は、２つのセリン残基：細胞質性ループＢにおけるＳｅｒ１１５（１３種のシロイヌナズナＰＩＰのうち、１２種でＳｅｒとして、１種でＴｈｒとして保存される）ならびにＣ末端領域におけるＳｅｒ２７４（８種のシロイヌナズナＰＩＰのうち、７種でＳｅｒとして、１種でＴｈｒとして保存される）、の脱リン酸化によって引き起こされることが報告されている。両残基はコンセンサスなリン酸化部位に位置している。
【００２６】
これまでのところ、過剰発現され精製された植物およびヒト起源のアクアポリンは、人工膜内に再構成された場合に機能的であることが示され、かつ数ヶ月間安定であり、また、この期間中、全くタンパク質分解は生じていない。プロテオリポソームの形態で人工膜内に再構成されたアクアポリン（例えばＳｏＰＩＰ２；１（配列番号：１））は、一ヶ月間安定である。
【００２７】
大量の純粋かつ機能的なアクアポリンへの持続的な手段を有することは、水透過性の生体模倣膜の開発にとって重大である。自然源からの精製は、低発現量およびアクアポリンの近縁のアイソフォームを分離することの困難さによって制限される。
【００２８】
酵母、Ｐｉｃｈｉａ  ｐａｓｔｏｒｉｓでの異種過剰発現は、これらの問題を回避するための効率的な方法であるということがわかり、かつ、ほうれん草アクアポリンＳｏＰＩＰ２；１（配列番号：１）の発現が、膜タンパク質に対するこのシステムの可能性の最初の実証であった（Ｋａｒｌｓｓｏｎ  ｅｔ  ａｌ．  ＦＥＢＳ  Ｌｅｔｔ  ５３７，  ６８−７２，  ２００３）。アクアポリンが、タンパク質のＣ末端でのヒスチジンの伸張の付加を可能とし、Ｎｉ−アフィニティーカラムを用いる過剰表現されたアクアポリンの精製を促進する発現ベクターへクローニングされた。これは、異種過剰発現され、精製され、結晶化され、かつ構造上特徴付けられた真核生物の膜タンパク質の、最初に公開された報告をもたらすものであった（Ｋｕｋｕｌｓｋｉ  ｅｔ  ａｌ．  Ｊ  Ｍｏｌ  Ｂｉｏｌ  ３５０．  ６１１−６１６，  ２００５）。高収量の、高い浸透性であると特徴づけられた植物起源のアクアポリンは、生体模倣膜の開発に対する最良の候補としてこのタンパク質を選出した。
【００２９】
ＳｏＰＩＰ２；１（配列番号：１）は、アクアポリンの最も特徴付けられた種類の一つ、ＰＩＰに属する。浸透性の調節がまだ調査されていないほとんどのアクアポリンとは対照的に、ＰＩＰはチャネルを開かせるセリンアミノ酸のリン酸化によって、および、チャネルを閉じさせるヒスチジンアミノ酸のプロトン付加あるいはＣａ２＋の結合によって、ゲート開閉（ｇａｔｅ）されると知られている（Ｔｏｒｎｒｏｔｈ−Ｈｏｒｓｅｆｉｅｌｄ  ｅｔ  ａｌ．  Ｎａｔｕｒｅ  ４３９，  ６８８−６９４，  ２００６）。
【００３０】
バイオインフォマティクス検索により、天然に存在するアイソフォーム、ＡｔＴＩＰ２；１が、ＳｏＰＩＰ２；１に代わる可能性があるものとして、シロイヌナズナから同定された。ＡｔＴＩＰ２；１をコードするｃＤＮＡのクローニングに成功し、該タンパク質が、Ｎ末端Ｈｉｓタグ、続いて、必要な場合に該アフィニティタグを取り去るためのＴＥＶプロテアーゼサイトと共に、ピキア・パストリス（Ｐｉｃｈｉａ  ｐａｓｔｏｒｉｓ）で過剰発現された。可溶化および精製の最適化の後、ＡｔＴＩＰ２；１の収量はＳｏＰＩＰ２；１（配列番号：１）の約３分の１に相当した。
【００３１】
プロテオリポソームにおいて再構成される場合、精製されたＡｔＴＩＰ２；１は水透過性であるが、水輸送（ｗａｔｅｒ  ｔｒａｎｓｐｏｒｔ）の定量的比較では、ＡｔＴＩＰ２；１の水透過性はＳｏＰＩＰ２；１（配列番号：１）の水透過性のおよそ３分の２であることを示すということが確認された。対照的に、ＡｔＴＩＰ２；１の熱安定性は、Ｓｏ−ＰＩＰ２；１についての５７℃に比べ、８６℃の融点を有し、より高い。
【００３２】
ＰＭ２８Ａとも呼ばれるＳｏＰＩＰ２；１（配列番号：１）は、リン酸化によりゲート開閉されると示された最初のアクアポリンであった（Ｊｏｈａｎｓｓｏｎ  ｅｔ  ａｌ．  Ｐｌａｎｔ  Ｃｅｌｌ  １０，  ４５１−４５９，  １９９８）。その後、ＰＩＰはｐＨおよびＣａ２＋によってもゲート開閉されることが示され（Ｔｏｕｒｎａｉｒｅ−Ｒｏｕｘ  ｅｔ  ａｌ．  Ｎａｔｕｒｅ．  ４２５，  ３９３−３９７，  ２００３；  Ａｌｌｅｖａ  ｅｔ  ａｌ．  Ｊ  Ｅｘｐ  Ｂｏｔ，  ５７，  ６０９−６２１，  ２００６）、近年、プロテオリポソームにおいて再構成された、精製されたＡｔＰＩＰ２；１でもこれが実証された（Ｖｅｒｄｏｕｃｑ  ｅｔ  ａｌ．  Ｂｉｏｃｈｅｍ  Ｊ，  ４１５，  ４０９−４１６，  ２００８）。ＰＩＰのｐＨおよびＣａ２＋ゲート開閉にとって重要であるアミノ酸残基の全てがＳｏＰＩＰ２；１においても保存されており、同様の調節を予測することは妥当である。驚くべきことにこれは見出されず、代わりに、プロテオリポソームにおけるＨｉｓタグ付きのＳｏＰＩＰ２；１（配列番号：１）は、ｐＨおよびＣａ２＋における変化の両方によって影響を受けなかった。図１に見られるように、１ｍＭ  Ｃａ２＋、ｐＨ７．５、ｐＨ５．８６、ｐＨ７．０１およびｐＨ６．０７でのサンプルは、実質的に同じ曲線をもたらし、０を除く全ての時点において、コントロールの曲線よりも高い。ゲート開閉されるＡｔＰＩＰ２；１と、ＳｏＰＩＰ２；１の閉じた構造を生成するために用いられるタンパク質はＨｉｓタグを欠いている一方で、ＳｏＰＩＰ２；１の開いた構造はＣ末端Ｈｉｓタグを有するＳｏＰＩＰ２；１から生成されたので、おそらく、Ｃ末端Ｈｉｓタグは、ＳｏＰＩＰ２；１を安定した開いたコンフォメーション、すなわち恒常的に開いたもの、に変換すると思われる。
【実施例１】
【００３３】
アクアポリンの過剰発現および精製
ＳｏＰＩＰ２；１アクアポリンは、Ｋａｒｌｓｓｏｎ  ｅｔ  ａｌ．  ＦＥＢＳ  Ｌｅｔｔ  ５３７，  ６８−７２，  ２００３により説明されるように、過剰発現および精製された。
【００３４】
ベクターおよび宿主細胞を含むＰ．ｐａｓｔｏｒｉｓ発現キットをインビトロジェンから購入した。ｐｍ２８ａ  ｃＤＮＡ（ＧｅｎＢａｎｋ登録番号Ｌ７７９６９）を、フォワードプライマーＥｃｏＲＩ−ＹＰＭ２８ＡおよびリバースプライマーＸｂａＩ−ＰＭ２８Ａを用いて増幅した。ＰＣＲ産物をＰ．ｐａｓｔｏｒｉｓベクターｐＰＩＣＺＢにクローニングし、得られたプラスミドｐＨＴ−ＰＭ２８Ａ−ＰＩＣＺを配列解析した。ＨＴ−ＰＭ２８ＡのＣ末端に付加された２２アミノ酸はＬＥＱＫＬＩＳＥＥＤＬＮＳＡＶＤＨＨＨＨＨＨであり、６×Ｈｉｓタグのそばにｍｙｃ抗体エピトープを含有する。第二の構築体を、フォワードプライマーＥｃｏＲＩ−ＹＰＭ２８ＡおよびリバースプライマーＰＭ２８Ａ−ＲＥＶを用いて作製した。該リバースプライマーは、ＰＭ２８Ａの後の本来の終始コドンおよびＢｇｌＩＩ制限部位を有する。ＰＣＲ産物をｐＰＩＣＺＢにクローニングし、得られたプラスミドｐＰＭ２８Ａ−ＰＩＣＺを配列解析した。
【００３５】
ＰＭ２８Ａ構築体を、野生型Ｐ．ｐａｓｔｏｒｉｓ  Ｘ−３３株に形質転換し、免疫染色（ＴｅｔｒａＨｉｓ抗体、Ｑｉａｇｅｎ）に従って、最も高い発現を有する形質転換体を選択し、大規模で培養した。簡単に言えば、２００ｍｌの緩衝化グリセロール複合培地（ｂｕｆｆｅｒｅｄ  ｇｌｙｃｅｒｏｌ  ｃｏｍｐｌｅｘ  ｍｅｄｉｕｍ）に接種し、培養液を一晩、２２５ｒｐｍで振盪させながら、３０℃でインキュベートした。細胞を遠心分離によってペレット化し、１２００ｍｌの緩衝化メタノール複合培地に再懸濁して、ＯＤ６００＝１．０を得た。２２５ｒｐｍで振盪しながら、３０℃で、細胞をバッフルフラスコ（ｂａｆｆｌｅｄ  ｆｌａｓｋ）内で成長させた。さらなる（０．５％  ｖ／ｖ）メタノールを２４時間毎に培養液へ添加して、誘導を維持した。７２−１２０時間後、該細胞を遠心分離によって回収し、−８０℃で保存した。
【００３６】
細胞ペレットを解凍し、破砕バッファー（５０ｍＭリン酸ナトリウムバッファー、ｐＨ  ７．５、５％グリセロール）に再懸濁した。１６０００ｐｓｉでフレンチプレス細胞破砕機（Ｆｒｅｎｃｈ  ｐｒｅｓｓｕｒｅ  ｃｅｌｌ）に３回通過させることにより、細胞を破砕し、溶解物を３０分間３０００ｒｐｍでの遠心分離により清澄化させた。膜を４℃で１２０分間、２０００００ｘｇでの遠心分離により回収し、破砕バッファーに再懸濁し、−８０℃で保存した。１Ｌの細胞培養液あたり４００〜５００ｍｇの間の粗膜タンパク質、または約１３ｍｇ／１ｇの細胞が、通常獲得された。表在性膜タンパク質および膜に接着しているタンパク質が、尿素／アルカリ処理により除去された（Ｆｏｔｉａｄｉｓ，  Ｄ．，  Ｊｅｎｏ，  Ｐ．，  Ｍｉｎｉ，  Ｔ．，  Ｗｉｒｔｚ，  Ｓ．，  Ｍｕｌｌｅｒ，  Ｓ．Ａ．，  Ｆｒａｙｓｓｅ，  Ｌ．，  Ｋｊｅｌｌｂｏｍ，  Ｐ．  ａｎｄ  Ｅｎｇｅｌ，  Ａ．  （２００１）  Ｊ．  Ｂｉｏｌ．  Ｃｈｅｍ．  ２７６，  １７０７−  １７１４などに記載される）。剥離された膜は、２０ｍＭ  ＨＥＰＥＳ−ＮａＯＨ、ｐＨ７．８、５０ｍＭ塩化ナトリウム、１０％グリセロール、２ｍＭ  Ｌ−メルカプトエタノール（バッファーＡ）に、約１０ｍｇ／ｍｌの濃度で再懸濁され、さらなる使用まで−８０℃で凍結された。
【００３７】
２０ｍｇのタンパク質を含有する剥離された膜は、２ｍｇ／ｍＬのタンパク質濃度へと希釈され、バッファーＡでの１０％ＯＴＧのストック溶液からの滴加により、３％オクチル−β−Ｄ−チオグルコピラノシド（ＯＴＧ）に溶解された。室温で３０分後、不溶化した物質を３０分間１６００００×ｇでペレット化した。可溶化したタンパク質を、１０ｍＭイミダゾールを含有する、２０ｍＭ  ＨＥＰＥＳ−ＮａＯＨ、ｐＨ７．８、３００ｍＭ塩化ナトリウム、１０％グリセロール、２ｍＭ  β−メルカプトエタノール、０．４％ＯＴＧ（バッファーＢ）で事前に平衡化した、２ｍＬのＮｉ−ＮＴＡアガロース懸濁液（ｓｌｕｒｒｙ）（Ｑｉａｇｅｎ）と、４℃で２時間混合した。非結合タンパク質画分を遠心分離により除去し、Ｎｉ−ＮＴＡアガロースをバッファーＢ＋３０ｍＭイミダゾールで洗浄した。タンパク質を、バッファーＢ＋３０ｍＭイミダゾールと、４℃で１時間混合することにより溶出した。さらなる溶出段階が４回実行された。
【００３８】
当業者には理解されるように、上記の方法を用いて本明細書に開示される任意のアクアポリンを精製し得る。
【００３９】
ＳｏＰＩＰ２；１（配列番号：１）の可溶化のために用いられる界面活性剤は、低温での界面活性剤の沈殿に関連する潜在的な問題を回避するために、ＯＴＧからＯＧへ変更されてもよい。さらに重要なことに、イミダゾールを有するＨｅｐｅｓバッファーは、ＣＤ測定およびタンパク質のビオチン化を可能とするためにｐＨ７．５でのＰＢＳに交換でき、また、凍結させる予定の全サンプルにおいて、１０％グリセロールが添加され、かつ推奨された。精製計画に追加された抽出段階におけるＳｏＰＩＰ２；１（配列番号：１）の全体のロスは、およそ２５％と見積もられた。大量の開始物質が入手可能であるため、これは主要な問題を構成するものではないが、抽出段階およびロスが、同量のタンパク質を供給するために必要とされる作業の増加を明らかに引き起こした。
【実施例２】
【００４０】
膜へのアクアポリンの組み込み
水ろ過のための異なる種類の工業膜において、組み換えアクアポリン分子を組み込む可能性が調査されている。ここでは、新規なナノバイオ技術的な水膜技術（ｗａｔｅｒ ｍｅｍｂｒａｎｅ  ｔｅｃｈｎｏｌｏｇｙ）の開発のためのモデルとして、その性質が用いられ得る。試験的な膜システムが、３つの適用：水精製適用、海洋エネルギー適用（塩分勾配エネルギー）および工業廃水の再生（ｒｅｃｌａｍａｔｉｏｎ）および再利用のための適用、のために開発され得る。
【００４１】
当業者には理解されるように、米国特許第７，８５７，９７８  Ｂ２号、米国特許出願公開第２００９／０００７５５５  Ａ１号、欧州特許第１８８５４７７  Ｂ１号またはＨｅｌｉｘ  Ｎｉｅｌｓｅｎ，  Ａｎａｌ  Ｂｉｏａｎａｌ  Ｃｈｅｍ  （２００９）  ３９５：６９７−７１８に開示されるものなど、組み込まれたアクアポリンを備える、生体膜、脂質膜等を含むなど、水を精製するために適したあらゆる膜を用いて、本発明の実施形態による恒常的に開いたＨｉｓタグ付きのアクアポリンを組み込み得る。
【００４２】
それゆえ、実施形態により、本発明の実施形態による膜を製造する方法が提供され、前記方法は、恒常的に開いたＨｉｓタグ付きのアクアポリンを製造する段階；および該アクアポリンを膜内に組み込む段階を含む。
【００４３】
タンパク質の変性は膜の浸透性を落とすであろうことから、生体模倣膜において高安定性のアクアポリンが望ましい。ＳｏＰＩＰ２；１の熱安定性を、変性および凝集に続く、円偏光二色性分光法およびＳＤＳ−ＰＡＧＥを用いて調査した。上述のように、可溶化したＳｏＰＩＰ２；１の融解温度は、極めて安定なＡｔＴＩＰ２；１よりも低かった。しかしながら、プロテオリポソームにおいて、ＳｏＰＩＰ２；１の安定性は７０℃超まで増加した。予備データはまた、熱的安定性が低ｐＨに比べて高ｐＨでより高いことを示す。
【００４４】
アクアポリンタンパク質は、細胞膜（ｃｅｌｌ  ｍｅｍｂｒａｎｅ）において水特異的チャネルとして機能している。アクアポリンタンパク質をコードする遺伝子を特定の酵母株へ挿入し、アクアポリンタンパク質がその機能的形態で生成および精製され、水特異的膜を構築するために用いられた。ホウレンソウ原形質膜アクアポリンＳｏＰＩＰ２；１（配列番号：１）をコードする遺伝子が、酵母、Ｐｉｃｈｉａ  ｐａｓｔｏｒｉｓ内にクローン化され、過剰発現され、かつ精製された。バッファー交換無しで、収量は１調製あたり約２０−３０ｍｇの純粋なＳｏＰＩＰ２；１である。
【００４５】
Ｃ末端Ｈｉｓタグを備えるＳｏＰＩＰ２；１（配列番号：２）は、恒常的に開いていると最近示された。
【００４６】
それゆえ、実施形態によると、配列番号：２と、少なくとも９５、９７または９９％など、少なくとも９０％配列相同性を有する、恒常的に開いたＨｉｓタグ付きのアクアポリンが提供される。
【００４７】
別の実施形態は、配列番号：２のアミノ酸配列を有する恒常的に開いたアクアポリンに関する。
【００４８】
上述のように、植物アクアポリンＡｔＴＩＰ２；１は過剰発現され、高収量で精製された。ＡｔＴＩＰ２；１は、プロテオリポソームにおいて再構成された場合、活性のある水チャネルであることが示された。プロテオリポソームにおける測定によると、ＡｔＴＩＰ２；１はおそらく、恒常的に開いたアイソフォームであるだろう。
【００４９】
トウモロコシ（Ｚｅａ  ｍａｙｓ）、イネ（Ｏｒｙｚａ  ｓａｔｉｖａ）またはヒメツリガネゴケ（Ｐｈｙｓｃｏｍｉｔｒｅｌｌａ  ｐａｔｅｎｓ）由来のアクアポリンもまた、本発明の目的のために有用であり得る。
【００５０】
上述のように、全て調節される、１３種の著しく保存された原形質膜アクアポリン（原形質膜内在性タンパク質またはＰＩＰ）が存在する。これらはさらに２種の個別の系統発生グループ（ＰＩＰ１およびＰＩＰ２）に分かれ得る。
【００５１】
本発明の非限定的な理論によると、恒常的に開いたコンフォメーションのアクアポリンは、Ｃ末端Ｈｉｓタグが、アクアポリンの正確な種類に応じて、アクアポリンのＳｅｒ２７４と、閉じたコンフォメーションに見られ得る次の単量体との間の相互作用を阻害する際に達成される。しかしながらＳｅｒ２７４は、高等植物およびより原始の植物（ｍｏｒｅ  ｐｒｉｍｉｔｉｖｅ  ｐｌａｎｔｓ）の両方において、ＰＩＰ２グループに属する全てのアクアポリンで保存されている。
【００５２】
一実施形態では、ホウレンソウ（Ｓｐｉｎａｃｉａ  ｏｌｅｒａｃｅａ）、シロイヌナズナ（Ａｒａｂｉｄｏｐｓｉｓ  ｔｈａｌｉａｎａ）、トウモロコシ（Ｚｅａ  ｍａｙｓ）、イネ（Ｏｒｙｚａ  ｓａｔｉｖａ）またはヒメツリガネゴケ（Ｐｈｙｓｃｏｍｉｔｒｅｌｌａ  ｐａｔｅｎｓ）由来の多数のＰＩＰ２配列が、配列番号：４から配列番号：３０として提供される。
【００５３】
別の実施形態は、恒常的に開いたアクアポリンを獲得するための方法に関する。前記方法は、配列番号：３と、少なくとも９５、９７または９９％など、少なくとも９０％配列相同性を有する配列を、原形質膜アクアポリンのＣ末端に付加する段階を含む。好ましくは、前記原形質膜アクアポリンは系統発生グループＰＩＰ２に属する。
【００５４】
別の実施形態は、配列番号：３と、少なくとも９５、９７または９９％など、少なくとも９０％配列相同性を有する、Ｃ末端Ｈｉｓタグを含む恒常的に開いたアクアポリンに関する。
【００５５】
別の実施形態は、本明細書に開示される恒常的に開いたアクアポリンを含む膜に関する。
【００５６】
一実施形態によれば、配列相同性、すなわち配列同一性、は、初期設定を用いるＢＬＡＳＴ−アルゴリズムの使用により獲得される、アラインメント配列相同性を意味することを目的としている。
【００５７】
本発明は特定の実施形態を参照して上述したが、本明細書において説明される特定の形態に限定されることを意図するものではない。むしろ、本発明は添付の請求項によってのみ限定され、上述の特定の実施形態以外の実施形態も、添付の特許請求の範囲内で同等に可能である。
【００５８】
一実施形態では、本発明の実施形態による膜は、水を精製するための装置内に組み込まれる。前記装置は、汚れた水を受け取るための第一のチェンバーに接続された入口、およびきれいな水を分配するための第二のチェンバーに接続された出口を含む。本発明の実施形態による膜を含む水精製膜（ｗａｔｅｒ  ｐｕｒｉｆｙｉｎｇ  ｍｅｍｂｒａｎｅ）は、第一から第二のチェンバーへ水が通過し得るように、第一と第二のチェンバーの間に配置される。水精製膜の性質および該膜は、米国特許第７，８５７，９７８  Ｂ２号、米国特許出願公開第２００９／０００７５５５  Ａ１号、欧州特許第１８８５４７７  Ｂ１号またはＨｅｌｉｘ  Ｎｉｅｌｓｅｎ，  Ａｎａｌ  Ｂｉｏａｎａｌ  Ｃｈｅｍ  （２００９）  ３９５：６９７−７１８などを考慮して、当業者に容易に理解されるだろう。
【００５９】
一実施形態では、水を精製するための、実施形態による膜または装置の使用が提供される。
【００６０】
精製は、実施形態による膜を提供する段階；および、精製された水を提供するために、精製される予定の水を、前記膜を通過させる段階、を含む方法による。
【００６１】
請求項において、用語「含む（ｃｏｍｐｒｉｓｅ）／含んでいる（ｃｏｍｐｒｉｓｉｎｇ）」は、他の要素または段階の存在を排除するものではない。さらに、個々に記載されているが、複数の手段、要素または方法段階、例えば単一ユニット、が実施され得る。さらに、個々の特徴が異なる請求項に含まれうるが、これらは場合によって有利に組み合わせられ得る、また、異なる請求項への包含は、特徴の組み合わせが実現可能でなく、かつ／または有利ではないことを示唆するものではない。さらに、単数形は複数形を排除するものではない。用語「一つの（ａ）」、「一つの（ａｎ）」、「第一の」、「第二の」等は複数形を排除するものではない。請求項における参照符号は、単に実施例を明確にするものとして提供され、決して請求項の範囲を限定するものとして解釈されないものとする。
【図１】
0005912113.tif 000002
【配列表】
0005912113000001.app